(57)【要約】【課題】  粘性液体の塗布にあたって、（イ）収納容器の残留圧によって粘性液体が自然漏出してしまうのを防ぎ、（ロ）空気中の湿気で硬化する接着剤の場合にはノズル部分に残留した粘性液体が湿気硬化してしまうのを防ぎ、かつ（ハ）粘性液体を出し過ぎて塗布し過ぎてしまったり、粘性液体を塗布すべきでない箇所に誤って粘性液体を付けてしまったりした場合に余剰の粘性液体を掬い取る手段を備えるノズルキャップ付粘性液体平型塗布ノズル及び平型ノズルキャップを提供する。【解決手段】  取付部と、平型ノズル本体と、平型ノズルキャップと、からなり、残留圧による自然漏出を防止することができるようにした。【選択図】  図１
2006341167.tif 000002
【特許請求の範囲】
【請求項１】
粘性液体を収容した収容容器に着脱自在に取り付けられ前記収容容器から粘性液体を吐出させるためのノズルキャップ付粘性液体平型塗布ノズルであって、
前記収納容器に前記ノズルキャップ付粘性液体平型塗布ノズルを取り付けるための取付部と、
前記粘性液体を塗布対象物にビード状に塗布するため、前記取付部から扁平先細状に延伸されかつ先端に複数の孔が開穿され直線状に配列された多孔部を有する平型ノズル本体と、
前記多孔部に対応して複数の嵌合凸部が内側に突設された平型ノズルキャップと、
からなり、
残留圧による自然漏出を防止することができるようにしたことを特徴とするノズルキャップ付粘性液体平型塗布ノズル。
【請求項２】
塗布対象物に塗布された余剰な前記粘性液体を回収するため、前記平型ノズルキャップにスクレイパー部を設けたことを特徴とする請求項１記載のノズルキャップ付粘性液体平型塗布ノズル。
【請求項３】
前記平型ノズル本体の外面に係止部を設け、かつ前記平型ノズルキャップの内面に被係止部を設けることにより、前記平型ノズルキャップ部が前記平型ノズル本体に係止可能とされたことを特徴とする請求項１又は２記載のノズルキャップ付粘性液体平型塗布ノズル。
【請求項４】
収納容器にノズルキャップ付粘性液体平型塗布ノズルを取り付けるための取付部と、
粘性液体を塗布対象物にビード状に塗布するため、前記取付部から扁平先細状に延伸されかつ先端に複数の孔が開穿され直線状に配列された多孔部を有する平型ノズル本体と、からなり、前記粘性液体を収容した収容容器に着脱自在に取り付けられ前記収容容器から粘性液体を吐出させるためのノズルキャップ付粘性液体平型塗布ノズルに用いられる平型ノズルキャップであって、
前記多孔部に対応して複数の嵌合凸部が内側に突設されたことを特徴とする平型ノズルキャップ。
【請求項５】
塗布対象物に塗布された余剰な前記粘性液体を回収するため、さらにスクレイパー部を設けたことを特徴とする請求項４記載の平型ノズルキャップ。
【発明の詳細な説明】
【技術分野】
【０００１】
本発明は、粘性液体をビード状（線状）に塗布するためのノズルキャップ付粘性液体平型塗布ノズル及び平型ノズルキャップに関する。
【背景技術】
【０００２】
従来、主として接着剤、シーリング材などの粘性液体を建築施工現場において塗布するにあたっては、接着剤、シーリング材などが充填されたカートリッジ又はチューブを押出しガンに装填し、前記カートリッジ又はチューブから接着剤、シーリング材などを吐出して、塗布対象面に塗布する工法が広く知られている。
【０００３】
上記のような粘性液体が充填されるカートリッジ又はチューブに用いられ、粘性液体を塗布するのに用いられる塗布ノズルとしては、平型ノズルと丸型ノズルがある。そして、対象面に接着剤を均一に塗布して塗布ムラを防ぐために、例えば、ノズルを櫛目状としたものが知られている（例えば、特許文献１、特許文献２及び特許文献３参照）。
【０００４】
また、塗布ムラを生じないように安定にノズル口を位置して一定の塗布量を保持することを容易にし、かつ被着材に対して十分に接合蒸着すると共に、塗布作業が正確で能率よくせんとした吐出用ノズルとして、吐出口内を多数に仕切り、塗布作業が一度に数条行うことができるようにしたものも知られている（特許文献４、考案が解決しようとする問題点及び第５図参照）。
【０００５】
これらの接着剤は、通常、一度にカートリッジ１０本といった数を使用するため、残ったカートリッジについては使い捨てられていた。但し、最後の１本が多量に残ってしまった場合には捨てるのはもったいないため、かかる接着剤のカートリッジのノズルを交換する等して対処する必要があった。
【０００６】
そして、特許文献４に記載されたような複数穴の吐出用ノズルの場合には、複数穴の吐出口を大きく（太く）すると接着剤等が出過ぎてしまうという問題があり、一方、吐出口を小さく（細く）すると容器内部の残留圧が増えてしまうという問題があった。
【０００７】
この残留圧の問題は、容器を横倒しにして置いた場合に特に顕著となる。これら従来のノズルでは、接着剤が残った収納容器を横倒しにしておくと、収納容器内部に残った接着剤が容器内部の残留圧により自然漏出し、床面や内装などの放置した場所を汚してしまう。この問題は建築業者が住宅などを建築する際に生ずるだけでなく、一般家庭のユーザーが接着剤を少量だけ使って残しておきたい場合にも生ずる。
【０００８】
また、空気中の湿気で硬化する接着剤の場合には、ノズル部分に残留した接着剤がノズル部分の内部で湿気硬化してしまい、ノズルの孔部分につまってしまうので、ノズルを繰り返し使用しようとしてもできないという問題があった。
【０００９】
さらに、これら従来技術では、接着剤を出し過ぎて塗布し過ぎてしまったり、接着剤を塗布すべきでない箇所に誤って接着剤を付けてしまったりした場合、ウエス等で拭き取ったりするだけで、余剰の接着剤に対する何らの対策も施されていなかった。
【００１０】
その上、このように誤って接着剤を床面等にたらしてしまった場合、ウエス等で拭き取ろうとしてもなかなかうまく拭き取れないこともあり、また、シンナー等で拭き取ろうとすると床面等が変色してしまうという問題もあった。
【特許文献１】特開平４−６２９４６号公報
【特許文献２】実開平５−３３８７３号公報
【特許文献３】特開２００１−９１０号公報
【特許文献４】実開昭６３−１７７２５２号公報
【発明の開示】
【発明が解決しようとする課題】
【００１１】
本発明は、上記問題点に鑑みて為されたものであり、粘性液体の塗布にあたって、（イ）収納容器の残留圧によって粘性液体が自然漏出してしまうのを防ぎ、（ロ）空気中の湿気で硬化する接着剤の場合にはノズル部分に残留した粘性液体が湿気硬化してしまうのを防ぎ、かつ（ハ）粘性液体を出し過ぎて塗布し過ぎてしまったり、粘性液体を塗布すべきでない箇所に誤って粘性液体を付けてしまったりした場合に余剰の粘性液体を掬い取る手段を備えるノズルキャップ付粘性液体平型塗布ノズル及び平型ノズルキャップを提供することを目的とする。
【課題を解決するための手段】
【００１２】
上記課題を解決するために、本発明のノズルキャップ付粘性液体平型塗布ノズルは、
粘性液体を収容した収容容器に着脱自在に取り付けられ前記収容容器から粘性液体を吐出させるためのノズルキャップ付粘性液体平型塗布ノズルであって、
前記収納容器に前記ノズルキャップ付粘性液体平型塗布ノズルを取り付けるための取付部と、
前記粘性液体を塗布対象物にビード状に塗布するため、前記取付部から扁平先細状に延伸されかつ先端に複数の孔が開穿され直線状に配列された多孔部を有する平型ノズル本体と、
前記多孔部に対応して複数の嵌合凸部が内側に突設された平型ノズルキャップと、
からなり、
残留圧による自然漏出を防止することができるようにしたことを特徴とする。
【００１３】
このようにすれば、カートリッジ又はチューブなどの収納容器の残留圧によって粘性液体が自然漏出してしまうのを防ぎ、かつ平型ノズル本体に残留した粘性液体が湿気硬化してしまうのを防ぐことができる。
【００１４】
前記粘性液体としては、湿気硬化型樹脂組成物が好適に用いられ、特に好ましくは、ウレタン系樹脂組成物又は変成シリコーン樹脂組成物が用いられる。また、前記粘性液体としては、接着剤又はシーリング材が好適であり、接着剤が特に好適である。
【００１５】
また、前記嵌合凸部に環状突起を設けておけば、前記嵌合凸部が前記多孔部にしっかりと嵌着され、前記平型ノズルキャップの脱着も容易となるので好適である。
【００１６】
また、前記ノズルキャップ付粘性液体平型塗布ノズルは、塗布対象物に塗布された余剰な前記粘性液体を回収するため、前記平型ノズルキャップにスクレイパー部を設けたことを特徴とする。
【００１７】
このようにすれば、粘性液体を出し過ぎて塗布し過ぎてしまったり、粘性液体を塗布すべきでない箇所に誤って粘性液体を付けてしまったりした場合に余剰の粘性液体を掬い取ることが可能となり、また、このスクレイパー部の外側面を使って粘性液体を塗り伸ばしたりすることも可能となる。
【００１８】
また、前記平型ノズルキャップの一対の幅広面のうち、いずれか一方の幅広面が他方よりも延伸しているのが好ましい。このように一方の幅広面を延伸させれば、掬い取り作業がスムーズに行えるし、平型ノズル本体に平型ノズルキャップを嵌着した際の残留圧を減少させる利点もある。
【００１９】
さらに、前記平型ノズル本体の外面に係止部を設け、かつ前記平型ノズルキャップの内面に被係止部を設けることにより、前記平型ノズルキャップが前記平型ノズル本体に係止可能とされたことを特徴とする。
【００２０】
このようにすれば、前記平型ノズルキャップが前記平型ノズル本体にしっかりと嵌着されるので、好ましい。
【００２１】
本発明のノズルキャップ付粘性液体平型塗布ノズルを作製するにあたって、材質は特に限定されないが、プラスチックなどの合成樹脂で作製するのが好ましく、特にポリプロピレン（ＰＰ）又はポリエチレン（ＰＥ）が好ましい。
【００２２】
また、本発明の平型ノズルキャップは、上記した本発明のノズルキャップ付粘性液体平型塗布ノズルに好適に用いられるものであり、
収納容器にノズルキャップ付粘性液体平型塗布ノズルを取り付けるための取付部と、
粘性液体を塗布対象物にビード状に塗布するため、前記取付部から扁平先細状に延伸されかつ先端に複数の孔が開穿され直線状に配列された多孔部を有する平型ノズル本体と、からなり、前記粘性液体を収容した収容容器に着脱自在に取り付けられ前記収容容器から粘性液体を吐出させるためのノズルキャップ付粘性液体平型塗布ノズルに用いられる平型ノズルキャップであって、
前記多孔部に対応して複数の嵌合凸部が内側に突設されたことを特徴とする。
【００２３】
このようにすれば、カートリッジ又はチューブなどの収納容器の残留圧によって粘性液体が自然漏出してしまうのを防ぎ、かつ平型ノズル本体に残留した粘性液体が湿気硬化してしまうのを防ぐことができる。
【００２４】
前記粘性液体としては、湿気硬化型樹脂組成物が好適に用いられ、特に好ましくは、ウレタン系樹脂組成物又は変成シリコーン樹脂組成物が用いられる。また、前記粘性液体としては、接着剤又はシーリング材が好適であり、接着剤が特に好適である。
【００２５】
また、前記嵌合凸部に環状突起を設けておけば、前記嵌合凸部が前記平型ノズル本体の多孔部にしっかりと嵌着され、前記平型ノズルキャップの脱着も容易となるので好適である。
【００２６】
そして、前記平型ノズルキャップには、塗布対象物に塗布された余剰な前記粘性液体を回収するため、さらにスクレイパー部を設けるのが好ましい。
【００２７】
このようにすれば、粘性液体を出し過ぎて塗布し過ぎてしまったり、粘性液体を塗布すべきでない箇所に誤って粘性液体を付けてしまったりした場合に余剰の粘性液体を掬い取ることが可能となり、また、このスクレイパー部の外側面を使って粘性液体を塗り伸ばしたりすることも可能となる。
【００２８】
また、前記平型ノズルキャップの一対の幅広面のうち、いずれか一方の幅広面が他方よりも延伸しているのが好ましい。このように一方の幅広面を延伸させれば、掬い取り作業がスムーズに行えるし、平型ノズル本体に平型ノズルキャップを嵌着した際の残留圧を減少させる利点もある。
【００２９】
本発明のノズルキャップ付粘性液体平型塗布ノズル及び平型ノズルキャップは、接着剤又はシーリング材などの粘性液体が充填されたカートリッジ又はチューブなどの収納容器を押出しガンに装填し、粘性液体を塗布するにあたって特に好適に用いられるものである。しかし、本発明のノズルキャップ付粘性液体平型塗布ノズル及び本発明の平型ノズルキャップは、カートリッジ又はチューブなどの収納容器に使用されるものであるから、必ずしも押出しガンを使用するタイプの収納容器についての使用に限定されるものではない。
【発明の効果】
【００３０】
本発明によれば、粘性液体の塗布にあたって、（イ）収納容器の残留圧によって粘性液体が自然漏出してしまうのを防ぎ、（ロ）空気中の湿気で硬化する接着剤の場合にはノズル部分に残留した粘性液体が湿気硬化してしまうのを防ぎ、かつ（ハ）粘性液体を出し過ぎて塗布し過ぎてしまったり、粘性液体を塗布すべきでない箇所に誤って粘性液体を付けてしまったりした場合に余剰の粘性液体を掬い取る手段を備えるノズルキャップ付粘性液体平型塗布ノズル及び平型ノズルキャップを提供することができるという大きな効果を奏する。
【発明を実施するための最良の形態】
【００３１】
以下に本発明の実施の形態を添付図面に基づいて説明するが、本発明の技術思想から逸脱しない限りこれらの実施の形態について種々の変更又は変形が可能なことは言うまでもない。
【００３２】
図１は本発明のノズルキャップ付粘性液体平型塗布ノズルの一つの実施の形態を示す斜視図である。図２は図１の分解斜視図である。図３は本発明のノズルキャップ付粘性液体平型塗布ノズルの平型ノズル本体の側面図である。図４は本発明のノズルキャップ付粘性液体平型塗布ノズルの平型ノズル本体の一部横断面図である。図５は本発明の平型ノズルキャップの縦断面図である。図６は図５のＶＩ部分の拡大図である。図７は図５のＶＩＩ部分の拡大図である。図８は本発明のノズルキャップ付粘性液体平型塗布ノズルを用いて粘性液体を塗布している状態を示す。図９は本発明のノズルキャップ付粘性液体平型塗布ノズルのもう一つの実施の形態を示す分解斜視図である。
【００３３】
図１〜図８において、符号１０Ａは本発明のノズルキャップ付粘性液体平型塗布ノズルを示す。ノズルキャップ付粘性液体平型塗布ノズル１０Ａは、図８に示すような粘性液体１２を収容した収容容器１４に着脱自在に取り付けられ前記収容容器１４から粘性液体１２を吐出させるためのノズルキャップ付粘性液体平型塗布ノズルであって、前記収納容器１４に前記ノズルキャップ付粘性液体平型塗布ノズル１０Ａを取り付けるための取付部１８を有しており、図１及び図２によく示すように、前記粘性液体１２を塗布対象物にビード状に塗布するため、前記取付部１８から扁平先細状に延伸されかつ先端に複数の孔が開穿され直線状に配列された多孔部２０を有する平型ノズル本体２２と、前記多孔部２０に対応して複数の嵌合凸部２４が内側に突設された平型ノズルキャップ２６と、から構成されている。
【００３４】
取付部１８によってノズルキャップ付粘性液体平型塗布ノズル１０Ａが着脱自在に取り付けられたカートリッジ又はチューブなどの収納容器を従来公知の押出しガン（図示省略）に装填され、図８のように使用することにより、接着剤やシーリング材などの粘性液体を床面や壁面にビード状に塗布することができる。なお、本発明のノズルキャップ付粘性液体平型塗布ノズル１０Ａ及び本発明の平型ノズルキャップ２６は、カートリッジ又はチューブなどの収納容器に使用されるものであるから、必ずしも押出しガンを使用するタイプの収納容器についての使用に限定されるものではない。
【００３５】
平型ノズル本体２２は、図３によく示される如く、取付部１８から扁平先細状に延伸されている。また、図４によく示される如く、平型ノズル本体２２は内部が中空とされており、その先端には多孔部２０が設けられている。
【００３６】
図５〜図７によく示す如く、本発明の平型ノズルキャップ２６には、前記多孔部２０に対応して複数の嵌合凸部２４が内側に突設されている。嵌合凸部２４には、環状突起２５が設けられており、嵌合凸部２４が多孔部２０に嵌着される際に、しっかりと嵌着され、かつ平型ノズルキャップ２６を容易に脱着可能とした構造とされている。
【００３７】
また、平型ノズルキャップ２６の幅広面２８，３０のうち、いずれか一方の幅広面が他方よりも延伸されている。このように一方の幅広面を延伸させれば、掬い取り作業がスムーズに行えるし、平型ノズル本体に平型ノズルキャップを嵌着した際の残留圧を減少させることができる。
【００３８】
さらに、前記平型ノズルキャップ２６にはテーパーを有するスクレイパー部３２が設けられており、粘性液体１２を出し過ぎて塗布し過ぎてしまったり、粘性液体１２を塗布すべきでない箇所に誤って粘性液体１２を付けてしまったりした場合に余剰の粘性液体１２を掬い取ることが可能とされている。また、この平型ノズルキャップ２６をひっくり返してスクレイパー部３２の外側面を使って粘性液体１２を塗り伸ばしたりすることも可能である。
【００３９】
本発明のノズルキャップ付粘性液体平型塗布ノズル及び平型ノズルキャップを上記のように構成すれば、残留圧による自然漏出を防止することができるし、空気中の湿気で硬化する接着剤の場合にはノズル部分に残留した粘性液体が湿気硬化してしまうのを防ぐことができ、かつ粘性液体を出し過ぎて塗布し過ぎてしまったり、粘性液体を塗布すべきでない箇所に誤って粘性液体を付けてしまったりした場合であっても余剰の粘性液体を掬い取ったり、塗り伸ばしたりすることも可能となる。
【００４０】
また、従来公知の粘性液体の平型塗布ノズルに本発明の平型ノズルキャップを適用すれば、残留圧による自然漏出を防止することが可能となる。  
【００４１】
図９に示したもう一つの実施の形態では、符号１０Ｂが本発明のノズルキャップ付粘性液体平型塗布ノズルを示す。平型ノズル本体２２の外面に係止部３４が設けられ、かつ平型ノズルキャップ２６の内面に被係止部３６が設けられている以外は、上記ノズルキャップ付粘性液体平型塗布ノズル１０Ａと同じである。そして、平型ノズル本体２２の外面に係止部３４が設けられ、平型ノズルキャップ２６の内面に被係止部３６が設けられていることにより、これらが係止せしめられ、被せられた平型ノズルキャップ２６が平型ノズル本体２２から脱落することがない。
【００４２】
図示の例では、係止部３４を環状凸部とし、被係止部３６を環状凹部とした例を示したが、平型ノズル本体２２の外面に係止部３４が設けられ、かつ平型ノズルキャップ２６の内面に被係止部３６が設けられればよいものであるから、係止部３４及び被係止部３６の形状などに特別の限定がないことは勿論である。
【００４３】
本発明のノズルキャップ付粘性液体平型塗布ノズル１０Ａ，１０Ｂを作製するにあたって、材質は特に限定されないが、プラスチックなどの合成樹脂で作製するのが好ましく、特にポリプロピレン（ＰＰ）又はポリエチレン（ＰＥ）が好ましい。
【図面の簡単な説明】
【００４４】
【図１】本発明のノズルキャップ付粘性液体平型塗布ノズルの一つの実施の形態を示す斜視図である。
【図２】図１の分解斜視図である。
【図３】本発明のノズルキャップ付粘性液体平型塗布ノズルの平型ノズル本体の側面図である。
【図４】本発明のノズルキャップ付粘性液体平型塗布ノズルの平型ノズル本体の一部横断面図である。
【図５】本発明の平型ノズルキャップの縦断面図である。
【図６】図５のＶＩ部分の拡大図である。
【図７】図５のＶＩＩ部分の拡大図である。
【図８】本発明のノズルキャップ付粘性液体平型塗布ノズルを用いて粘性液体を塗布している状態を示す。
【図９】本発明のノズルキャップ付粘性液体平型塗布ノズルのもう一つの実施の形態を示す分解斜視図である。
【符号の説明】
【００４５】
１０Ａ，１０Ｂ：本発明のノズルキャップ付粘性液体平型塗布ノズル、１２：粘性液体、１４：収納容器、１８：取付部、２０：多孔部、２２：平型ノズル本体、２４：嵌合凸部、２５：環状突起、２６：本発明の平型ノズルキャップ、２８，３０：幅広面、３２：スクレイパー部、３４：係止部、３６：被係止部。
【図１】
2006341167.tif 000003
【図２】
2006341167.tif 000004
【図３】
2006341167.tif 000005
【図４】
2006341167.tif 000006
【図５】
2006341167.tif 000007
【図６】
2006341167.tif 000008
【図７】
2006341167.tif 000009
【図８】
2006341167.tif 000010
【図９】
2006341167.tif 000011